(57)【要約】【課題】向上された視認性を有する画像表示装置を提供する。【解決手段】画像表示装置１は、画像表示パネル１０と、透明保護板２０と、透明樹脂部材１５と、傾斜面２０ｔとを備える。画像表示パネル１０は、第１主面１０ｓを有する。第１主面１０ｓは、画像表示領域１２と、第１周縁領域１１とを含む。透明保護板２０は、第２主面２０ｓを有する。第２主面２０ｓは第２周縁領域２１を含む。傾斜面２０ｔは、第２周縁領域２１に設けられており、かつ、画像表示領域１２に近づくにつれて開口部１４の中心軸１４ｃに近づくように傾斜している。【選択図】図２
2020098269.tif 000002
【特許請求の範囲】
【請求項１】
第１主面を有する画像表示パネルと、
前記第１主面に対向する第２主面を有する透明保護板と、
前記透明保護板を前記画像表示パネルに接着する枠体部と、
前記画像表示パネルと前記透明保護板と前記枠体部とによって囲まれる空間内に設けられている透明樹脂部材と、
第１傾斜面及び第２傾斜面の少なくとも１つとを備え、
前記第１主面は、画像表示領域と、前記画像表示領域の外側にある第１周縁領域とを含み、
前記第２主面は、前記第２主面の平面視において、前記画像表示領域の外側にある第２周縁領域を含み、
前記枠体部は、前記第１周縁領域及び前記第２周縁領域上に設けられており、
前記枠体部には開口部が設けられており、
前記第１傾斜面は、前記第１主面の前記第１周縁領域に設けられており、かつ、前記画像表示領域に近づくにつれて前記開口部の中心軸に近づくように傾斜しており、
前記第２傾斜面は、前記第２主面の前記第２周縁領域に設けられており、かつ、前記画像表示領域に近づくにつれて前記開口部の前記中心軸に近づくように傾斜している、画像表示装置。
【請求項２】
前記透明保護板は湾曲している、請求項１に記載の画像表示装置。
【請求項３】
開口部が設けられている枠体部を介して、透明保護板を画像表示パネルに接着することと、
ノズルの先端を第１傾斜面及び第２傾斜面の少なくとも１つに接触させながら、前記ノズルの前記先端を前記開口部に対向させすることと、
前記ノズルの前記先端から、前記画像表示パネルと前記透明保護板と前記枠体部とによって囲まれる空間に、透明樹脂材を注入することとを備え、
前記画像表示パネルは第１主面を有しており、
前記透明保護板は、前記第１主面に対向する第２主面を有しており、
前記第１主面は、画像表示領域と、前記画像表示領域の周縁にある第１周縁領域とを含み、
前記第２主面は、前記第２主面の平面視において、前記画像表示領域の外側の領域にある第２周縁領域を含み、
前記枠体部は、前記第１周縁領域及び前記第２周縁領域上に設けられており、
前記第１傾斜面は、前記第１主面の前記第１周縁領域に設けられており、かつ、前記画像表示領域に近づくにつれて前記開口部の中心軸に近づくように傾斜しており、
前記第２傾斜面は、前記第２主面の前記第２周縁領域に設けられており、かつ、前記画像表示領域に近づくにつれて前記開口部の前記中心軸に近づくように傾斜している、画像表示装置の製造方法。
【請求項４】
前記ノズルの前記先端の直径は、前記開口部における前記画像表示パネルと前記透明保護板との間の間隔よりも大きい、請求項３に記載の画像表示装置の製造方法。
【請求項５】
前記ノズルは、前記ノズルの前記先端に近づくにつれて前記ノズルが次第に先細となるように、前記ノズルの中心軸に対して傾斜している傾斜側面を含み、
前記傾斜側面は、前記ノズルの前記先端に接続されている、請求項３に記載の画像表示装置の製造方法。
【請求項６】
前記透明保護板は湾曲している、請求項３から請求項５のいずれか１項に記載の画像表示装置の製造方法。
【請求項７】
開口部が設けられている枠体部を介して、透明保護板を画像表示パネルに接着することと、
ノズルの傾斜側面を前記画像表示パネル及び前記透明保護板の少なくとも１つに接触させながら、前記ノズルの先端を前記開口部に対向させることと、
前記ノズルの前記先端から、前記画像表示パネルと前記透明保護板と前記枠体部とによって囲まれる空間に、透明樹脂材を注入することとを備え、
前記画像表示パネルは第１主面を有しており、
前記透明保護板は、前記第１主面に対向する第２主面を有しており、
前記第１主面は、画像表示領域と、前記画像表示領域の外側にある第１周縁領域とを含み、
前記第２主面は、前記第２主面の平面視において、前記画像表示領域の外側にある第２周縁領域を含み、
前記枠体部は、前記第１周縁領域及び前記第２周縁領域上に設けられており、
前記ノズルの前記傾斜側面は、前記ノズルの前記先端に近づくにつれて前記ノズルが次第に先細となるように、前記ノズルの中心軸に対して傾斜しており、
前記傾斜側面は、前記ノズルの前記先端に接続されている、画像表示装置の製造方法。
【請求項８】
前記透明保護板は湾曲している、請求項７に記載の画像表示装置の製造方法。
【発明の詳細な説明】
【技術分野】
【０００１】
本発明は、画像表示装置及びその製造方法に関する。
【背景技術】
【０００２】
特許第３３２１７１８号明細書（特許文献１）は、液晶セルと、保護パネルと、成形枠と、緩衝層とを備える液晶表示装置を開示している。保護パネルは、液晶セルの前面側に配置されている。成形枠は、液晶セルと保護パネルとの間に配置されている。保護パネルには、保護パネルを貫通する注入孔が設けられている。緩衝層を構成する透明樹脂材を注入孔から注入して、液晶セルと保護パネルと成形枠とで囲まれる空間に、透明樹脂材を充填する。透明樹脂材は硬化されて、緩衝層となる。こうして、液晶表示装置が製造される。
【先行技術文献】
【特許文献】
【０００３】
【特許文献１】特許第３３２１７１８号明細書
【発明の概要】
【発明が解決しようとする課題】
【０００４】
特許文献１に開示された液晶表示装置では、緩衝層を構成する透明樹脂樹脂材を、注入孔から、液晶セルと保護パネルと成形枠とで囲まれる空間に注入する際、透明樹脂樹脂材が保護パネルの前面に付着して、液晶表示装置の視認性を悪化させることがあった。本発明は、上記の課題を鑑みてなされたものであり、その目的は、向上された視認性を有する画像表示装置及びその製造方法を提供することである。
【課題を解決するための手段】
【０００５】
本発明の画像表示装置は、画像表示パネルと、透明保護板と、枠体部と、透明樹脂部材と、第１傾斜面及び第２傾斜面の少なくとも１つとを備える。画像表示パネルは、第１主面を有している。第１主面は、画像表示領域と、画像表示領域の外側にある第１周縁領域とを含む。透明保護板は、第１主面に対向する第２主面を有している。第２主面は、第２主面の平面視において、画像表示領域の外側にある第２周縁領域を含む。枠体部は、透明保護板を画像表示パネルに接着している。枠体部は、第１周縁領域及び第２周縁領域上に設けられている。枠体部には、開口部が設けられている。透明樹脂部材は、画像表示パネルと透明保護板と枠体部とによって囲まれる空間内に設けられている。第１傾斜面は、第１主面の第１周縁領域に設けられており、かつ、画像表示領域に近づくにつれて開口部の中心軸に近づくように傾斜している。第２傾斜面は、第２主面の第２周縁領域に設けられており、かつ、画像表示領域に近づくにつれて開口部の中心軸に近づくように傾斜している。
【０００６】
本発明の第一の局面の画像表示装置の製造方法は、開口部が設けられている枠体部を介して、透明保護板を画像表示パネルに接着することを備える。画像表示パネルは第１主面を有している。第１主面は、画像表示領域と、画像表示領域の周縁にある第１周縁領域とを含む。透明保護板は、第１主面に対向する第２主面を有している。第２主面は、第２主面の平面視において、画像表示領域の外側の領域にある第２周縁領域を含む。枠体部は、第１周縁領域及び第２周縁領域上に設けられている。第１傾斜面は、第１主面の第１周縁領域に設けられており、かつ、画像表示領域に近づくにつれて開口部の中心軸に近づくように傾斜している。第２傾斜面は、第２主面の第２周縁領域に設けられており、かつ、画像表示領域に近づくにつれて開口部の中心軸に近づくように傾斜している。本発明の第一の局面の画像表示装置の製造方法は、ノズルの先端を第１傾斜面及び第２傾斜面の少なくとも１つに接触させながら、ノズルの先端を開口部に対向させすることを備える。本発明の第一の局面の画像表示装置の製造方法は、ノズルの先端から、画像表示パネルと透明保護板と枠体部とによって囲まれる空間に、透明樹脂材を注入することを備える。
【０００７】
本発明の第二の局面の画像表示装置の製造方法は、開口部が設けられている枠体部を介して、透明保護板を画像表示パネルに接着することを備える。画像表示パネルは第１主面を有している。第１主面は、画像表示領域と、画像表示領域の外側にある第１周縁領域とを含む。透明保護板は、第１主面に対向する第２主面を有している。第２主面は、第２主面の平面視において、画像表示領域の外側にある第２周縁領域を含む。枠体部は、第１周縁領域及び第２周縁領域上に設けられている。本発明の第二の局面の画像表示装置の製造方法は、ノズルの傾斜側面を画像表示パネル及び透明保護板の少なくとも１つに接触させながら、ノズルの先端を開口部に対向させることを備える。ノズルの傾斜側面は、ノズルの先端に近づくにつれてノズルが次第に先細となるように、ノズルの中心軸に対して傾斜している。傾斜側面は、ノズルの先端に接続されている。本発明の第二の局面の画像表示装置の製造方法は、ノズルの先端から、画像表示パネルと透明保護板と枠体部とによって囲まれる空間に、透明樹脂材を注入することを備える。
【発明の効果】
【０００８】
本発明の画像表示装置及び本発明の第一の局面の画像表示装置の製造方法では、第１傾斜面及び第２傾斜面の少なくとも１つは、透明樹脂部材を構成する透明樹脂材が透明保護板の前面に付着すること、及び、画像表示パネルまたは透明保護板が破損して、画像表示パネルの破片または透明保護板の破片が画像表示パネルと透明保護板との間の空間に入り込むことを防止する。画像表示装置の視認性は向上され得る。
【０００９】
本発明の第二の局面の画像表示装置の製造方法では、ノズルの傾斜側面は、透明樹脂部材を構成する透明樹脂材が透明保護板の前面に付着すること、及び、画像表示パネルまたは透明保護板が破損して、画像表示パネルの破片または透明保護板の破片が画像表示パネルと透明保護板との間の空間に入り込むことを防止する。画像表示装置の視認性は向上され得る。
【図面の簡単な説明】
【００１０】
【図１】実施の形態１に係る画像表示装置の概略平面図である。
【図２】実施の形態１に係る画像表示装置の、図１に示される断面線ＩＩ−ＩＩにおける概略断面図である。
【図３】実施の形態１に係る画像表示装置の、図１に示される断面線ＩＩＩ−ＩＩＩにおける概略断面図である。
【図４】実施の形態１に係る画像表示装置の含まれる画像表示パネルの概略平面図である。
【図５】実施の形態１に係る画像表示装置の含まれる透明保護板の概略平面図である。
【図６】実施の形態１に係る画像表示装置の、図２に示される断面線ＶＩ−ＶＩにおける概略断面図である。
【図７】実施の形態１に係る画像表示装置の製造方法の一工程を示す概略断面図である。
【図８】実施の形態１に係る画像表示装置の製造方法における、図６に示される工程の次工程を示す概略断面図である。
【図９】実施の形態１の第１変形例に係る画像表示装置の概略断面図である。
【図１０】実施の形態１の第２変形例に係る画像表示装置の概略断面図である。
【図１１】実施の形態２に係る画像表示装置の概略断面図である。
【図１２】実施の形態２に係る画像表示装置の含まれる画像表示パネルの概略平面図である。
【図１３】実施の形態２に係る画像表示装置の含まれる透明保護板の概略平面図である。
【図１４】実施の形態２に係る画像表示装置の製造方法の一工程を示す概略断面図である。
【図１５】実施の形態２に係る画像表示装置の製造方法における、図１４に示される工程の次工程を示す概略断面図である。
【図１６】実施の形態３に係る画像表示装置の概略断面図である。
【図１７】実施の形態３に係る画像表示装置の含まれる画像表示パネルの概略平面図である。
【図１８】実施の形態３に係る画像表示装置の含まれる透明保護板の概略平面図である。
【図１９】実施の形態３に係る画像表示装置の製造方法の一工程を示す概略断面図である。
【図２０】実施の形態３に係る画像表示装置の製造方法における、図１９に示される工程の次工程を示す概略断面図である。
【図２１】実施の形態４に係る画像表示装置の製造方法の一工程を示す概略断面図である。
【図２２】実施の形態４に係る画像表示装置の製造方法における、図２１に示される工程の次工程を示す概略断面図である。
【図２３】実施の形態５に係る画像表示装置の製造方法の一工程を示す概略断面図である。
【図２４】実施の形態５に係る画像表示装置の製造方法における、図２３に示される工程の次工程を示す概略断面図である。
【図２５】実施の形態６に係る画像表示装置の製造方法の一工程を示す概略断面図である。
【図２６】実施の形態６に係る画像表示装置の製造方法における、図２５に示される工程の次工程を示す概略断面図である。
【発明を実施するための形態】
【００１１】
以下、本発明の実施の形態を説明する。なお、同一の構成には同一の参照番号を付し、その説明は繰り返さない。
【００１２】
実施の形態１．
図１から図６を参照して、実施の形態１の画像表示装置１を説明する。本実施の形態の画像表示装置１は、画像表示パネル１０と、透明保護板２０と、枠体部１３と、透明樹脂部材１５と、傾斜面２０ｔとを備える。
【００１３】
画像表示パネル１０は、特に限定されないが、液晶表示パネル、有機エレクトロルミネッセンス（ＥＬ）パネル、または、プラズマディスプレイパネル（ＰＤＰ）である。画像表示パネル１０は、第１主面１０ｓを有する。第１主面１０ｓは、画像表示パネル１０の前面である。第１主面１０ｓは、第１の方向（ｘ方向）と、第１の方向に垂直な第２の方向（ｙ方向）とに沿って延在している。第１主面１０ｓは、画像表示領域１２と、画像表示領域１２の外側にある第１周縁領域１１とを含む。画像表示領域１２は、第１周縁領域１１によって囲まれている。
【００１４】
透明保護板２０は、画像表示パネル１０の前面側（視認側）に配置されている。透明保護板２０は、例えば、化学強化ガラスのような透明ガラス基板、または、ポリカーボネート基板のような透明樹脂基板である。透明保護板２０は、画像表示パネル１０を、機械的衝撃から保護する。透明保護板２０は、１０9Ｐａ以上のヤング率を有する透明材料で構成されてもよい。透明保護板２０は、例えば、０．７ｍｍ以上の厚さを有してもよい。そのため、透明保護板２０は、画像表示パネル１０を機械的衝撃から保護することができる。透明保護板２０は、例えば、３．０ｍｍ以下の厚さを有してもよい。そのため、画像表示装置１の重量が軽減され得る。
【００１５】
透明保護板２０は、第１主面１０ｓに対向する第２主面２０ｓを有する。第２主面２０ｓは、透明保護板２０の背面である。第２主面２０ｓは、第１の方向（ｘ方向）と、第１の方向に垂直な第２の方向（ｙ方向）とに沿って延在している。第２主面２０ｓは、第２主面２０ｓの平面視において、画像表示領域１２の外側にある第２周縁領域２１を含む。第２主面２０ｓの平面視において、第２周縁領域２１は、画像表示領域１２に重なっていない。透明保護板２０は、タッチパネルの機能を有してもよい。透明保護板２０の前面上に、反射防止膜、アンチグレア膜またはハードコート膜などが設けられてもよい。
【００１６】
第２主面２０ｓの第２周縁領域２１に、傾斜面２０ｔが設けられている。傾斜面２０ｔは、枠体部１３の開口部１４に対応する第２周縁領域２１の一部に設けられている。図２に示されるように、傾斜面２０ｔは、画像表示領域１２に近づくにつれて開口部１４の中心軸１４ｃに近づくように傾斜している。本明細書において、開口部１４の中心軸１４ｃは、開口部１４の中心軸１４ｃ、または、開口部１４における第１主面１０ｓと第２主面２０ｓとの間の中央に位置する面を意味する。第２主面２０ｓに対する傾斜面２０ｔの傾斜角度は、例えば、５°以上である。第２主面２０ｓに対する傾斜面２０ｔの傾斜角度は、１０°以上であってもよく、１５°以上であってもよい。第２主面２０ｓに対する傾斜面２０ｔの傾斜角度は、例えば、８０°以下である。第２主面２０ｓに対する傾斜面２０ｔの傾斜角度は、７５°以下であってもよく、７０°以下であってもよい。傾斜面２０ｔは、例えば、平らな傾斜面である。傾斜面２０ｔは、凹状傾斜曲面であってもよいし、凸状傾斜曲面であってもよい。
【００１７】
透明保護板２０は、例えば、平板である。図９及び図１０に示されるように、透明保護板２０は、湾曲してもよい。具体的には、図９に示されるように、本実施の形態の第１変形例の画像表示装置１では、透明保護板２０は、凸状に湾曲してもよい。図１０に示されるように、本実施の形態の第２変形例の画像表示装置１では、透明保護板２０は、凹状に湾曲してもよい。
【００１８】
透明保護板２０と画像表示パネル１０とは、枠体部１３を介して、第１の方向（ｘ方向）及び第２の方向（ｙ方向）に垂直な第３の方向（ｚ方向）に積層されている。枠体部１３は、透明保護板２０と画像表示パネル１０との間に設けられている。枠体部１３は、透明保護板２０を画像表示パネル１０に接着する。枠体部１３は、第１周縁領域１１及び第２周縁領域２１上に設けられている。枠体部１３は、透明樹脂部材１５を構成する透明樹脂材が漏れ出すことを防止する。枠体部１３は、透明樹脂で形成されてもよいし、不透明樹脂で形成されてもよい。
【００１９】
枠体部１３に、開口部１４が設けられている。開口部１４は、透明樹脂部材１５を構成する透明樹脂材を、画像表示パネル１０と透明保護板２０と枠体部１３とによって囲まれる空間に注入するための注入孔として機能する。一例では、開口部１４は、画像表示領域１２の一辺（例えば、画像表示領域１２の上辺）の全体にわたって延在している。開口部１４は、画像表示領域１２の一辺の一部にのみ形成されてもよい。枠体部１３に、複数の開口部１４が設けられてもよい。
【００２０】
透明樹脂部材１５は、画像表示パネル１０と透明保護板２０と枠体部１３とによって囲まれる空間内に設けられている。この空間は、透明樹脂部材１５で充填されていて、気泡を含まないことが好ましい。この空間内に注入された透明樹脂材は、硬化されて、透明樹脂部材１５となる。透明樹脂部材１５は、接着性を有してもよく、透明保護板２０を画像表示パネル１０に接着してもよい。
【００２１】
透明樹脂部材１５と透明保護板２０との間の屈折率差は、空気と透明保護板２０との間の屈折率差よりも小さい。透明樹脂部材１５と画像表示パネル１０の第１主面１０ｓとの間の屈折率差は、空気と画像表示パネル１０の第１主面１０ｓとの間の屈折率差よりも小さい。そのため、透明樹脂部材１５は、画像表示領域１２に表示される画像の視認性を向上させる。透明樹脂部材１５は、緩衝部材であってもよく、シリコーンゲルのような衝撃吸収作用を有する材料で形成されてもよい。そのため、透明樹脂部材１５は、画像表示パネル１０を機械的衝撃から保護し、透明保護板２０及び画像表示パネル１０の損傷を防止し得る。
【００２２】
図７及び図８を参照して、実施の形態１の画像表示装置１の製造方法を説明する。
図７に示されるように、本実施の形態の画像表示装置１の製造方法は、開口部１４が設けられている枠体部１３を介して、透明保護板２０を画像表示パネル１０に接着することを備える。画像表示パネル１０は、第１主面１０ｓを有している。第１主面１０ｓは、画像表示領域１２と、画像表示領域１２の外側にある第１周縁領域１１とを含む。透明保護板２０は、第１主面１０ｓに対向する第２主面２０ｓを有している。第２主面２０ｓは、第２主面２０ｓの平面視において、画像表示領域１２の外側にある第２周縁領域２１を含む。枠体部１３は、第１周縁領域１１及び第２周縁領域２１上に設けられている。第２主面２０ｓの第２周縁領域２１に、傾斜面２０ｔが設けられている。傾斜面２０ｔは、画像表示領域１２に近づくにつれて開口部１４の中心軸１４ｃに近づくように傾斜している。
【００２３】
図７に示されるように、本実施の形態の画像表示装置１の製造方法は、ノズル２５の先端２６を傾斜面２０ｔに接触させながら、ノズル２５の先端２６を開口部１４に対向させることを備える。ノズル２５は、透明樹脂材を吐出するように構成されている。ノズル２５を開口部１４に向けて移動させると、傾斜面２０ｔは、ノズル２５の先端２６を開口部１４に向けてガイドして、図８に示されるように、ノズル２５の先端２６を開口部１４に対向させる。特定的には、ノズル２５の先端２６の直径ｄは、開口部１４における画像表示パネル１０と透明保護板２０との間の間隔ｇ以下であり、ノズル２５の先端２６は、開口部１４に挿入される。
【００２４】
図８に示されるように、本実施の形態の画像表示装置１の製造方法は、ノズル２５の先端２６から、画像表示パネル１０と透明保護板２０と枠体部１３とによって囲まれる空間に、透明樹脂材を注入することを備える。透明樹脂材は硬化されて、透明樹脂部材１５になる。こうして、画像表示装置１が得られる。開口部１４は、栓部材（図示せず）によって閉塞されてもよい。
【００２５】
実施の形態２．
図１１から図１３を参照して、実施の形態２の画像表示装置１を説明する。本実施の形態の画像表示装置１は、実施の形態１の画像表示装置１と同様の構成を備えるが、以下の点で主に異なる。
【００２６】
本実施の形態の画像表示装置１は、実施の形態１の傾斜面２０ｔに代えて、傾斜面１０ｔを備えている。傾斜面１０ｔは、第１主面１０ｓの第１周縁領域１１に設けられている。傾斜面１０ｔは、枠体部１３の開口部１４に対応する第１周縁領域１１の一部に設けられている。
【００２７】
傾斜面１０ｔは、画像表示領域１２に近づくにつれて開口部１４の中心軸１４ｃに近づくように傾斜している。第１主面１０ｓに対する傾斜面１０ｔの傾斜角度は、例えば、５°以上である。第１主面１０ｓに対する傾斜面１０ｔの傾斜角度は、１０°以上であってもよく、１５°以上であってもよい。第１主面１０ｓに対する傾斜面１０ｔの傾斜角度は、例えば、８０°以下である。第１主面１０ｓに対する傾斜面１０ｔの傾斜角度は、７５°以下であってもよく、７０°以下であってもよい。傾斜面１０ｔは、例えば、平らな傾斜面である。傾斜面１０ｔは、凹状傾斜曲面であってもよいし、凸状傾斜曲面であってもよい。
【００２８】
図１４及び図１５を参照して、実施の形態２の画像表示装置１の製造方法を説明する。本実施の形態の画像表示装置１の製造方法は、実施の形態１の画像表示装置１の製造方法と同様の工程を備えるが、以下の点で主に異なる。
【００２９】
図１４に示されるように、本実施の形態の画像表示装置１の製造方法は、開口部１４が設けられている枠体部１３を介して、透明保護板２０を画像表示パネル１０に接着することを備える。第１主面１０ｓの第１周縁領域１１に、傾斜面１０ｔが設けられている。傾斜面１０ｔは、画像表示領域１２に近づくにつれて開口部１４の中心軸１４ｃに近づくように傾斜している。
【００３０】
図１４に示されるように、本実施の形態の画像表示装置１の製造方法は、ノズル２５の先端２６を傾斜面１０ｔに接触させながら、ノズル２５の先端２６を開口部１４に対向させることを備える。ノズル２５を開口部１４に向けて移動させると、傾斜面１０ｔは、ノズル２５の先端２６を開口部１４に向けてガイドして、図１５に示されるように、ノズル２５の先端２６を開口部１４に対向させる。特定的には、ノズル２５の先端２６は、開口部１４に挿入される。
【００３１】
実施の形態３．
図１６から図１８を参照して、実施の形態３の画像表示装置１を説明する。本実施の形態の画像表示装置１は、実施の形態１の画像表示装置１と同様の構成を備えるが、以下の点で主に異なる。
【００３２】
本実施の形態の画像表示装置１は、実施の形態１の傾斜面２０ｔに加えて、実施の形態２の傾斜面１０ｔをさらに備える。傾斜面１０ｔは、第１主面１０ｓの第１周縁領域１１に設けられている。傾斜面１０ｔは、画像表示領域１２に近づくにつれて開口部１４の中心軸１４ｃに近づくように傾斜している。傾斜面２０ｔは、第２主面２０ｓの第２周縁領域２１に設けられている。傾斜面２０ｔは、画像表示領域１２に近づくにつれて開口部１４の中心軸１４ｃに近づくように傾斜している。
【００３３】
第２主面２０ｓに対する傾斜面２０ｔの傾斜角度は、第１主面１０ｓに対する傾斜面１０ｔの傾斜角度に等しくてもよいし、第１主面１０ｓに対する傾斜面１０ｔの傾斜角度と異なってもよい。傾斜面２０ｔは、第２の方向（ｙ方向）において傾斜面１０ｔと同じ位置に設けられてもよいし。第２の方向（ｙ方向）において傾斜面１０ｔからずれた位置に設けられてもよい。
【００３４】
図１９及び図２０を参照して、実施の形態３の画像表示装置１の製造方法を説明する。本実施の形態の画像表示装置１の製造方法は、実施の形態１の画像表示装置１の製造方法と同様の工程を備えるが、以下の点で主に異なる。
【００３５】
図１９に示されるように、本実施の形態の画像表示装置１の製造方法は、開口部１４が設けられている枠体部１３を介して、透明保護板２０を画像表示パネル１０に接着することを備える。第１主面１０ｓの第１周縁領域１１に、傾斜面１０ｔが設けられている。傾斜面１０ｔは、画像表示領域１２に近づくにつれて開口部１４の中心軸１４ｃに近づくように傾斜している。第２主面２０ｓの第２周縁領域２１に、傾斜面２０ｔが設けられている。傾斜面２０ｔは、画像表示領域１２に近づくにつれて開口部１４の中心軸１４ｃに近づくように傾斜している。
【００３６】
図１９に示されるように、本実施の形態の画像表示装置１の製造方法は、ノズル２５の先端２６を傾斜面１０ｔ及び傾斜面２０ｔの少なくとも１つに接触させながら、ノズル２５の先端２６を開口部１４に対向させることを備える。ノズル２５を開口部１４に向けて移動させると、傾斜面１０ｔ及び傾斜面２０ｔの少なくとも１つは、ノズル２５の先端２６を開口部１４に向けてガイドして、図２０に示されるように、ノズル２５の先端２６を開口部１４に対向させる。特定的には、ノズル２５の先端２６は、開口部１４に挿入される。
【００３７】
実施の形態１−３の画像表示装置１及びその製造方法の効果を説明する。
実施の形態１−３の画像表示装置１は、画像表示パネル１０と、透明保護板２０と、枠体部１３と、透明樹脂部材１５と、第１傾斜面（傾斜面１０ｔ）及び第２傾斜面（傾斜面２０ｔ）の少なくとも１つとを備える。画像表示パネル１０は、第１主面１０ｓを有している。第１主面１０ｓは、画像表示領域１２と、画像表示領域１２の外側にある第１周縁領域１１とを含む。透明保護板２０は、第１主面１０ｓに対向する第２主面２０ｓを有している。第２主面２０ｓは、第２主面２０ｓの平面視において、画像表示領域１２の外側にある第２周縁領域２１を含む。枠体部１３は、透明保護板２０を画像表示パネル１０に接着している。枠体部１３は、第１周縁領域１１及び第２周縁領域２１上に設けられている。枠体部１３には、開口部１４が設けられている。透明樹脂部材１５は、画像表示パネル１０と透明保護板２０と枠体部１３とによって囲まれる空間内に設けられている。第１傾斜面（傾斜面１０ｔ）は、第１主面１０ｓの第１周縁領域１１に設けられており、かつ、画像表示領域１２に近づくにつれて開口部１４の中心軸１４ｃに近づくように傾斜している。第２傾斜面（傾斜面２０ｔ）は、第２主面２０ｓの第２周縁領域２１に設けられており、かつ、画像表示領域１２に近づくにつれて開口部１４の中心軸１４ｃに近づくように傾斜している。
【００３８】
実施の形態１−３の画像表示装置１の製造方法は、開口部１４が設けられている枠体部１３を介して、透明保護板２０を画像表示パネル１０に接着することを備える。画像表示パネル１０は第１主面１０ｓを有している。第１主面１０ｓは、画像表示領域１２と、画像表示領域１２の周縁にある第１周縁領域１１とを含む。透明保護板２０は、第１主面１０ｓに対向する第２主面２０ｓを有している。第２主面２０ｓは、第２主面２０ｓの平面視において、画像表示領域１２の外側の領域にある第２周縁領域２１を含む。枠体部１３は、第１周縁領域１１及び第２周縁領域２１上に設けられている。第１傾斜面（傾斜面１０ｔ）は、第１主面１０ｓの第１周縁領域１１に設けられており、かつ、画像表示領域１２に近づくにつれて開口部１４の中心軸１４ｃに近づくように傾斜している。第２傾斜面（傾斜面２０ｔ）は、第２主面２０ｓの第２周縁領域２１に設けられており、かつ、画像表示領域１２に近づくにつれて開口部１４の中心軸１４ｃに近づくように傾斜している。実施の形態１−３の画像表示装置１の製造方法は、ノズル２５の先端２６を第１傾斜面（傾斜面１０ｔ）及び第２傾斜面（傾斜面２０ｔ）の少なくとも１つに接触させながら、ノズル２５の先端２６を開口部１４に対向させすることを備える。実施の形態１−３の画像表示装置１の製造方法は、ノズル２５の先端２６から、画像表示パネル１０と透明保護板２０と枠体部１３とによって囲まれる空間に、透明樹脂材を注入することを備える。
【００３９】
第１傾斜面（傾斜面１０ｔ）及び第２傾斜面（傾斜面２０ｔ）の少なくとも１つは、ノズル２５の先端２６を開口部１４に向けてガイドして、ノズル２５の先端２６を開口部１４に確実に対向させることができる。ノズル２５の先端２６から吐出される透明樹脂材が透明保護板２０の前面に付着することが防止される。画像表示装置１の視認性は向上され得る。
【００４０】
ノズル２５を開口部１４に向けて移動させる際に、ノズル２５の先端２６が画像表示パネル１０または透明保護板２０に衝突しても、ノズル２５の先端２６は第１傾斜面（傾斜面１０ｔ）または第２傾斜面（傾斜面２０ｔ）に沿って移動する。そのため、ノズル２５の先端２６が画像表示パネル１０または透明保護板２０に衝突する際に、ノズル２５の先端２６、画像表示パネル１０または透明保護板２０に作用する衝撃力が小さい。ノズル２５、画像表示パネル１０または透明保護板２０が破損することが防止される。ノズル２５の破片、画像表示パネル１０の破片または透明保護板２０の破片が、画像表示パネル１０と透明保護板２０との間の空間に入り込むことが防止される。画像表示装置１の視認性は向上され得る。画像表示装置１の製造方法は、画像表示装置１の視認性及び生産性を向上させることができる。
【００４１】
開口部１４における画像表示パネル１０と透明保護板２０との間の間隔ｇ（図７、図１４及び図１９を参照）よりも大きな幅ｗ（図７、図１４及び図１９を参照）内にノズル２５の先端２６が位置すれば、ノズル２５を開口部１４に向けて移動させる際に、ノズル２５の先端２６を開口部１４に対向させることができる。第１傾斜面（傾斜面１０ｔ）及び第２傾斜面（傾斜面２０ｔ）の少なくとも１つは、開口部１４に対するノズル２５の先端２６の位置合わせ精度を緩和する。画像表示装置１は、画像表示装置１の生産性を向上させることができる構造を有している。画像表示装置１の製造方法は、画像表示装置１の生産性を向上させることができる。
【００４２】
本明細書において、幅ｗは、開口部１４の平面視（ｙ方向からの平面視）における、第１周縁領域１１と第２傾斜面（傾斜面２０ｔ）との間の最大距離（実施の形態１）、開口部１４の平面視（ｙ方向からの平面視）における、第１傾斜面（傾斜面１０ｔ）と第２周縁領域２１との間の最大距離（実施の形態２）、または、開口部１４の平面視（ｙ方向からの平面視）における、第１傾斜面（傾斜面１０ｔ）と第２傾斜面（傾斜面２０ｔ）との間の最大距離（実施の形態３）を意味する。
【００４３】
開口部１４は、画像表示パネル１０と透明保護板２０との間に配置されている枠体部１３に設けられている。たとえ、透明樹脂材が開口部１４から漏れ出すことがあったとしても、透明樹脂材が透明保護板２０の前面に付着することが防止される。画像表示装置１の視認性は向上され得る。さらに、看者が画像表示領域１２に表示されている画像を視るときに、開口部１４は看者によって視認されない。そのため、画像表示装置１は、優れた意匠を有している。
【００４４】
実施の形態４．
図２１及び図２２を参照して、実施の形態４の画像表示装置１の製造方法を説明する。本実施の形態の画像表示装置１の製造方法は、実施の形態３の画像表示装置１の製造方法と同様の工程を備えるが、以下の点で主に異なる。
【００４５】
図２１に示されるように、本実施の形態の画像表示装置１の製造方法は、ノズル２５の先端２６を第１傾斜面（傾斜面１０ｔ）及び第２傾斜面（傾斜面２０ｔ）の少なくとも１つに接触させながら、ノズル２５の先端２６を開口部１４に対向させることを備える。ノズル２５を開口部１４に向けて移動させると、第１傾斜面（傾斜面１０ｔ）及び第２傾斜面（傾斜面２０ｔ）の少なくとも１つは、ノズル２５の先端２６を開口部１４に向けてガイドして、図２２に示されるように、ノズル２５の先端２６を開口部１４に対向させる。ノズル２５の先端２６の直径ｄは、開口部１４における画像表示パネル１０と透明保護板２０との間の間隔ｇよりも大きい。ノズル２５の先端２６の直径ｄは、幅ｗよりも小さい。
【００４６】
本実施の形態では、画像表示装置１は、第１傾斜面（傾斜面１０ｔ）と第２傾斜面（傾斜面２０ｔ）とを備えているが、画像表示装置１は、実施の形態２と同様に、第１傾斜面（傾斜面１０ｔ）だけを備えてもよいし、実施の形態１と同様に、第２傾斜面（傾斜面２０ｔ）だけを備えてもよい。
【００４７】
本実施の形態の画像表示装置１の製造方法は、実施の形態１−３の画像表示装置１の製造方法の効果に加えて、以下の効果を奏する。
【００４８】
本実施の形態の画像表示装置１の製造方法では、ノズル２５の先端２６の直径ｄは、開口部１４における画像表示パネル１０と透明保護板２０との間の間隔ｇよりも大きい。ノズル２５からの透明樹脂材の吐出速度は増加する。画像表示パネル１０と透明保護板２０と枠体部１３とによって囲まれる空間に透明樹脂材を充填する時間が短縮されて、画像表示装置１の生産性が向上される。また、画像表示パネル１０と透明保護板２０と枠体部１３とによって囲まれる空間に透明樹脂材を充填する時間が短縮されるため、この空間に透明樹脂材を注入する間に、透明樹脂材の粘度が上昇して透明樹脂材が気泡を巻き込むことが防止され得る。そのため、視認性が向上された画像表示装置１が製造され得る。
【００４９】
実施の形態５．
図２４を参照して、実施の形態５の画像表示装置１ｅを説明する。本実施の形態の画像表示装置１ｅは、実施の形態１の画像表示装置１と同様の構成を備えるが、以下の点で主に異なる。画像表示装置１ｅでは、画像表示パネル１０及び透明保護板２０に傾斜面１０ｔ，２０ｔが設けられていない。画像表示装置１ｅでは、透明保護板２０は、実施の形態１の第１変形例及び第２変形例（図９及び図１０）と同様に、湾曲してもよい。
【００５０】
図２３及び図２４を参照して、実施の形態５の画像表示装置１ｅの製造方法を説明する。本実施の形態の画像表示装置１ｅの製造方法は、実施の形態１の画像表示装置１の製造方法と同様の工程を備えるが、以下の点で主に異なる。
【００５１】
図２３に示されるように、本実施の形態の画像表示装置１ｅの製造方法は、開口部１４が設けられている枠体部１３を介して、透明保護板２０を画像表示パネル１０に接着することを備える。画像表示パネル１０及び透明保護板２０に傾斜面１０ｔ，２０ｔが設けられていない。
【００５２】
図２３に示されるように、本実施の形態の画像表示装置１ｅの製造方法は、ノズル２５の傾斜側面２７を画像表示パネル１０及び透明保護板２０の少なくとも１つに接触させながら、ノズル２５の先端２６を開口部１４に対向させることをさらに備える。ノズル２５の傾斜側面２７は、ノズル２５の先端２６に近づくにつれてノズル２５が次第に先細となるように、ノズル２５の中心軸２５ｃに対して傾斜している。傾斜側面２７は、ノズル２５の先端２６に接続されている。ノズル２５を開口部１４に向けて移動させると、傾斜側面２７は、ノズル２５の先端２６を開口部１４に向けてガイドして、図２４に示されるように、ノズル２５の先端２６を開口部１４に対向させる。特定的には、ノズル２５の先端２６は、開口部１４に挿入される。
【００５３】
本実施の形態の画像表示装置１ｅの製造方法は、実施の形態１の画像表示装置１の製造方法と同様の以下の効果を奏する。
【００５４】
本実施の形態の画像表示装置１ｅの製造方法は、開口部１４が設けられている枠体部１３を介して、透明保護板２０を画像表示パネル１０に接着することを備える。画像表示パネル１０は第１主面１０ｓを有している。第１主面１０ｓは、画像表示領域１２と、画像表示領域１２の外側にある第１周縁領域１１とを含む。透明保護板２０は、第１主面１０ｓに対向する第２主面２０ｓを有している。第２主面２０ｓは、第２主面２０ｓの平面視において、画像表示領域１２の外側にある第２周縁領域２１を含む。枠体部１３は、第１周縁領域１１及び第２周縁領域２１上に設けられている。本実施の形態の画像表示装置１ｅの製造方法は、ノズル２５の傾斜側面２７を画像表示パネル１０及び透明保護板２０の少なくとも１つに接触させながら、ノズル２５の先端２６を開口部１４に対向させることを備える。ノズル２５の傾斜側面２７は、ノズル２５の先端２６に近づくにつれてノズル２５が次第に先細となるように、ノズル２５の中心軸２５ｃに対して傾斜している。傾斜側面２７は、ノズル２５の先端２６に接続されている。本実施の形態の画像表示装置１ｅの製造方法は、ノズル２５の先端２６から、画像表示パネル１０と透明保護板２０と枠体部１３とによって囲まれる空間に、透明樹脂材を注入することを備える。
【００５５】
ノズル２５の傾斜側面２７は、ノズル２５の先端２６を開口部１４に向けてガイドして、ノズル２５の先端２６を開口部１４に確実に対向させることができる。ノズル２５の先端２６から吐出される透明樹脂材が透明保護板２０の前面に付着することが防止される。画像表示装置１ｅの視認性は向上され得る。
【００５６】
ノズル２５を開口部１４に向けて移動させる際に、ノズル２５の傾斜側面２７が画像表示パネル１０または透明保護板２０に衝突しても、ノズル２５はノズル２５の傾斜側面２７に沿って移動する。そのため、ノズル２５の傾斜側面２７が画像表示パネル１０または透明保護板２０に衝突する際に、ノズル２５、画像表示パネル１０または透明保護板２０に作用する衝撃力が小さい。ノズル２５、画像表示パネル１０または透明保護板２０が破損することが防止される。ノズル２５の破片、画像表示パネル１０の破片または透明保護板２０の破片が、画像表示パネル１０と透明保護板２０との間の空間に入り込むことが防止される。画像表示装置１ｅの視認性は向上され得る。画像表示装置１ｅの製造方法は、画像表示装置１ｅの視認性及び生産性を向上させることができる。
【００５７】
ノズル２５の傾斜側面２７は、開口部１４に対するノズル２５の先端２６の位置合わせ精度を緩和する。画像表示装置１ｅは、画像表示装置１ｅの生産性を向上させることができる構造を有している。画像表示装置１ｅの製造方法は、画像表示装置１ｅの生産性を向上させることができる。
【００５８】
開口部１４は、画像表示パネル１０と透明保護板２０との間に配置されている枠体部１３に設けられている。たとえ、透明樹脂材が開口部１４から漏れ出すことがあったとしても、透明樹脂材が透明保護板２０の前面に付着することが防止される。画像表示装置１ｅの視認性は向上され得る。さらに、看者が画像表示領域１２に表示されている画像を視るときに、開口部１４は看者によって視認されない。そのため、画像表示装置１ｅは、優れた意匠を有している。
【００５９】
実施の形態６．
図２５及び図２６を参照して、実施の形態６の画像表示装置１の製造方法を説明する。本実施の形態の画像表示装置１の製造方法は、実施の形態３の画像表示装置１の製造方法と同様の工程を備えるが、以下の点で主に異なる。
【００６０】
図２５に示されるように、本実施の形態の画像表示装置１の製造方法は、ノズル２５の傾斜側面２７を第１傾斜面（傾斜面１０ｔ）及び第２傾斜面（傾斜面２０ｔ）の少なくとも１つに接触させながら、ノズル２５を開口部１４に対向させることを備える。ノズル２５の傾斜側面２７は、ノズル２５の先端２６に近づくにつれてノズル２５が次第に先細となるように、ノズル２５の中心線に対して傾斜している。傾斜側面２７は、ノズル２５の先端２６に接続されている。ノズル２５を開口部１４に向けて移動させると、第１傾斜面（傾斜面１０ｔ）及び第２傾斜面（傾斜面２０ｔ）の少なくとも１つと傾斜側面２７とは、ノズル２５の先端２６を開口部１４に向けてガイドして、図２６に示されるように、ノズル２５の先端２６を開口部１４に対向させる。特定的には、ノズル２５の先端２６は、開口部１４に挿入される。
【００６１】
画像表示装置１は、第１傾斜面（傾斜面１０ｔ）と第２傾斜面（傾斜面２０ｔ）とを備えているが、画像表示装置１は、実施の形態２と同様に、第１傾斜面（傾斜面１０ｔ）だけを備えてもよいし、実施の形態１と同様に、第２傾斜面（傾斜面２０ｔ）だけを備えてもよい。
【００６２】
本実施の形態の画像表示装置１及びその製造方法は、実施の形態１−３の画像表示装置１の製造方法の効果並びに施の形態５の画像表示装置１ｅの製造方法の効果に加えて、以下の効果を奏する。第１傾斜面（傾斜面１０ｔ）及び第２傾斜面（傾斜面２０ｔ）の少なくとも１つとノズル２５の傾斜側面２７とは、開口部１４に対するノズル２５の先端２６の位置合わせ精度をさらに緩和する。本実施の形態の画像表示装置１の製造方法は、画像表示装置１の生産性をさらに向上させることができる。
【００６３】
今回開示された実施の形態１−６はすべての点で例示であって制限的なものではないと考えられるべきである。矛盾のない限り、今回開示された実施の形態１−６の少なくとも２つを組み合わせてもよい。本発明の範囲は、上記した説明ではなく特許請求の範囲によって示され、特許請求の範囲と均等の意味および範囲内でのすべての変更が含まれることを意図される。
【符号の説明】
【００６４】
１，１ｅ  画像表示装置、１０  画像表示パネル、１０ｓ  第１主面、１０ｔ，２０ｔ  傾斜面、１１  第１周縁領域、１２  画像表示領域、１３  枠体部、１４  開口部、１４ｃ  中心軸、１５  透明樹脂部材、２０  透明保護板、２０ｓ  第２主面、２１  第２周縁領域、２５  ノズル、２５ｃ  中心軸、２６  先端、２７  傾斜側面、ｄ  直径、ｇ  間隔、ｗ  幅。 
【図１】
2020098269.tif 000003
【図２】
2020098269.tif 000004
【図３】
2020098269.tif 000005
【図４】
2020098269.tif 000006
【図５】
2020098269.tif 000007
【図６】
2020098269.tif 000008
【図７】
2020098269.tif 000009
【図８】
2020098269.tif 000010
【図９】
2020098269.tif 000011
【図１０】
2020098269.tif 000012
【図１１】
2020098269.tif 000013
【図１２】
2020098269.tif 000014
【図１３】
2020098269.tif 000015
【図１４】
2020098269.tif 000016
【図１５】
2020098269.tif 000017
【図１６】
2020098269.tif 000018
【図１７】
2020098269.tif 000019
【図１８】
2020098269.tif 000020
【図１９】
2020098269.tif 000021
【図２０】
2020098269.tif 000022
【図２１】
2020098269.tif 000023
【図２２】
2020098269.tif 000024
【図２３】
2020098269.tif 000025
【図２４】
2020098269.tif 000026
【図２５】
2020098269.tif 000027
【図２６】
2020098269.tif 000028